(57)【要約】【課題】比較的簡単に発光状態を変化させることができるＬＥＤユニット及びそれを備えた照明器具を提供する。【解決手段】ＬＥＤユニット１０は、ベース１と、ベース１に配置される発光装置３と、発光装置３を覆うように配置されるホルダ２と、操作部２ｈと、接続端子５と、を備える。発光装置３は、複数のＬＥＤチップ３ｋと、実装基板３ｂと、一対の給電端子部３ｃと、一部のＬＥＤチップ３ｋと電気的に接続する一対の結線端子部３ｆと、を有している。一対の給電端子部３ｃは、複数のＬＥＤチップ３ｋと電気的に接続する。接続端子５は、一対の結線端子部３ｆと電気的に接続し、一部のＬＥＤチップ３ｋの間を短絡して迂回路を形成する。接続端子５は、操作部２ｈに連動し、一対の結線端子部３ｆに接続する第１位置と、一対の結線端子部３ｆに接続しない第２位置との間を移動する。【選択図】図１
2017216082.tif 000002
【特許請求の範囲】
【請求項１】
板状のベースと、前記ベースの一表面側に配置される発光装置と、前記発光装置を覆うように前記ベースの一表面側に配置されるホルダと、を備え、
外部から操作できる操作部と、
前記発光装置と対向して配置される接続端子と、をさらに備え、
前記発光装置は、複数のＬＥＤチップと、前記複数のＬＥＤチップが実装される実装基板と、外部の電源と電気的に接続される一対の給電端子部と、前記複数のＬＥＤチップのうち一部のＬＥＤチップと電気的に接続する一対の結線端子部と、を有しており、
前記一対の給電端子部は、前記複数のＬＥＤチップが前記外部の電源からの電力で発光するように、前記複数のＬＥＤチップと電気的に接続し、
前記接続端子は、前記一対の結線端子部と電気的に接続した状態で、前記複数のＬＥＤチップのうち前記一部のＬＥＤチップの間を短絡して前記一部のＬＥＤチップの迂回路を形成し、
前記接続端子は、前記操作部の操作に連動して、前記一対の結線端子部と電気的に接続する第１位置と、前記一対の結線端子部と電気的に接続しない第２位置との間を移動することを特徴とするＬＥＤユニット。
【請求項２】
前記ホルダは、前記操作部を備え、前記接続端子を保持することを特徴とする請求項１に記載のＬＥＤユニット。
【請求項３】
前記一対の結線端子部は、前記発光装置の光軸周りに沿って、前記実装基板の主表面に配置されており、
前記接続端子は、前記光軸周りに沿った移動で、前記第１位置と前記第２位置との間を変位することを特徴とする請求項１または請求項２に記載のＬＥＤユニット。
【請求項４】
請求項１から請求項３の何れか１つに記載のＬＥＤユニットと、前記ＬＥＤユニットが取り付けられる器具本体と、を備えたことを特徴とする照明器具。
【発明の詳細な説明】
【技術分野】
【０００１】
本発明は、ＬＥＤユニット及びそれを備えた照明器具に関する。
【背景技術】
【０００２】
従来、照明器具の光源としてＬＥＤユニットが利用されている。
【０００３】
この種のＬＥＤユニットとしては、板状のベースと、発光装置と、ホルダと、を備えた構成が知られている（例えば、特許文献１）。
【０００４】
特許文献１のＬＥＤユニットでは、発光装置は、ベースの一表面側に配置される。発光装置は、ＬＥＤチップと、実装基板と、を有している。実装基板は、一面側に給電用の端子部を有している。端子部は、電線の一端部が接続される。ホルダは、ベースとの間に実装基板を保持する。特許文献１のＬＥＤユニットでは、ＬＥＤユニットと別途に設けられた電源ユニットからの電力が制御されれば、調光できる。
【先行技術文献】
【特許文献】
【０００５】
【特許文献１】特開２０１２−１８１９４７号公報
【発明の概要】
【発明が解決しようとする課題】
【０００６】
ところで、ＬＥＤユニットは、比較的簡単に発光状態を変化させることができる構成が求められており、上述の特許文献１のＬＥＤユニットの構成だけでは十分ではなく、更なる改良が求められている。
【０００７】
本発明の目的は、比較的簡単に発光状態を変化させることができるＬＥＤユニット及びそれを備えた照明器具を提供する。
【課題を解決するための手段】
【０００８】
本発明に係る一態様のＬＥＤユニットは、ベースと、発光装置と、ホルダと、を備える。上記ベースは、板状の外形形状をしている。上記発光装置は、上記ベースの一表面側に配置される。上記ホルダは、上記発光装置を覆うように、上記ベースの一表面側に配置される。ＬＥＤユニットは、操作部と、接続端子と、をさらに備える。上記操作部は、外部から操作できる。上記接続端子は、上記発光装置と対向して配置される。上記発光装置は、複数のＬＥＤチップと、実装基板と、一対の給電端子部と、一対の結線端子部と、を有している。上記実装基板は、上記複数のＬＥＤチップが実装される。上記一対の給電端子部は、外部の電源と電気的に接続される。上記一対の結線端子部は、上記複数のＬＥＤチップのうち、一部のＬＥＤチップと電気的に接続する。上記一対の給電端子部は、上記複数のＬＥＤチップが上記外部の電源からの電力で発光するように、上記複数のＬＥＤチップと電気的に接続する。上記接続端子は、上記一対の結線端子部と電気的に接続した状態で、上記複数のＬＥＤチップのうち、上記一部のＬＥＤチップの間を短絡して上記一部のＬＥＤチップの迂回路を形成する。上記接続端子は、上記操作部の操作に連動して、第１位置と、第２位置との間を移動する。上記第１位置は、上記一対の結線端子部と電気的に接続する。上記第２位置は、前記一対の結線端子部と電気的に接続しない。
【０００９】
本発明に係る一態様の照明器具は、上述の上記ＬＥＤユニットと、上記ＬＥＤユニットが取り付けられる器具本体と、を備えている。
【発明の効果】
【００１０】
本発明のＬＥＤユニット及びそれを備えた照明器具は、比較的簡単に発光状態を変化させることができる。
【図面の簡単な説明】
【００１１】
【図１】図１は、本発明の一実施形態のＬＥＤユニットの分解斜視図である。
【図２】図２は、同上のＬＥＤユニットの要部を示す正面図である。
【図３】図３は、同上のＬＥＤユニットを示す断面図である。
【図４】図４は、同上のＬＥＤユニットの別の要部を示す背面側の斜視図である。
【図５】図５は、同上のＬＥＤユニットの他の要部を示す背面図である。
【図６】図６は、同上のＬＥＤユニットの更に別の要部を示す背面図である。
【図７】図７は、同上のＬＥＤユニットを示す斜視図である。
【図８】図８は、同上のＬＥＤユニットの回路を示し、図８Ａは、複数のＬＥＤチップを全灯させる第１結線を示し、図８Ｂは、複数のＬＥＤチップの一部を発光させる第２結線を示し、図８Ｃは、第２結線よりも少ない数のＬＥＤチップを発光させる第３結線を示す回路図である。
【図９】図９は、同上のＬＥＤユニットを備えた照明器具の断面図である。
【発明を実施するための形態】
【００１２】
以下では、本実施形態のＬＥＤユニット１０について、図１から図８を参照して説明する。図中においては、同じ部材に対し、同じ符号を付して重複する説明を省略する。各図面が示す部材の大きさや位置関係は、説明を明確にするために誇張していることがある。以下の説明において、本実施形態に含まれる各要素は、複数の要素を一の部材で構成して一の部材で複数の要素を兼用する態様としてもよいし、一の部材の機能を複数の部材で分担して実現してもよい。
【００１３】
本実施形態のＬＥＤユニット１０は、図１から図７に示すように、ベース１と、発光装置３と、ホルダ２と、を備える。ベース１は、板状の外形形状をしている。発光装置３は、ベース１の一表面側に配置される。ホルダ２は、発光装置３を覆うように、ベース１の一表面側に配置される。ＬＥＤユニット１０は、操作部２ｈと、接続端子５と、をさらに備える。操作部２ｈは、外部から操作できる。接続端子５は、発光装置３と対向して配置される。発光装置３は、複数のＬＥＤチップ３ｋと、実装基板３ｂと、一対の給電端子部３ｃと、一対の結線端子部３ｆと、を有している。実装基板３ｂは、複数のＬＥＤチップ３ｋが実装される。一対の給電端子部３ｃは、外部の電源と電気的に接続される。一対の結線端子部３ｆは、複数のＬＥＤチップ３ｋのうち、一部のＬＥＤチップ３ｋと電気的に接続する。一対の給電端子部３ｃは、複数のＬＥＤチップ３ｋが外部の電源からの電力で発光するように、複数のＬＥＤチップ３ｋと電気的に接続する。接続端子５は、一対の結線端子部３ｆと電気的に接続した状態で、複数のＬＥＤチップ３ｋのうち、一部のＬＥＤチップ３ｋの間を短絡して一部のＬＥＤチップ３ｋの迂回路を形成する。接続端子５は、操作部２ｈの操作に連動して、第１位置と、第２位置との間を移動する。第１位置は、一対の結線端子部３ｆと電気的に接続する。第２位置は、一対の結線端子部３ｆと電気的に接続しない。
【００１４】
本実施形態のＬＥＤユニット１０は、接続端子５が一対の結線端子部３ｆと電気的に短絡する第１位置と、接続端子５が一対の結線端子部３ｆと電気的に接続しない第２位置との間を移動する構成で、比較的簡単に発光状態を変化させることができる。
【００１５】
以下では、本実施形態のＬＥＤユニット１０の各構成について説明する。
【００１６】
本実施形態のＬＥＤユニット１０は、図１に示すように、ベース１とホルダ２と発光装置３と接続端子５とに加え、ハーネス４と、放熱シート６と、カバー７と、カバー押え部材８と、を備えている。
【００１７】
ベース１は、円板状の外形形状をしている。ベース１は、円板状の外形形状だけに限らず、矩形板状の外形形状でもよい。ベース１は、図１から図３に示すように、複数の貫通孔１ａと、導出部１ｃと、凹所１ｅと、複数の収納部１ｊと、溝部１ｔと、を有している。ベース１は、一対の取付部１ｂと、突台部１ｆと、第１リブ１ｈａと、第２リブ１ｈｂと、第３リブ１ｈｃと、一対の連結片１ｈｅと、ボス１ｒと、を備えている。
【００１８】
複数の貫通孔１ａは、所定の間隔で、ベース１の周部に沿って設けられる。複数の貫通孔１ａそれぞれは、ベース１の厚み方向に貫通している。
【００１９】
導出部１ｃは、ベース１の周部において、外側縁を切り欠くように形成されている。導出部１ｃは、正面視において、矩形状の外形形状をしている。導出部１ｃは、ベース１の周部において、ベース１の一表面、側面及び一表面と反対の他表面が開放されている。導出部１ｃは、ベース１の凹所１ｅから外部にハーネス４の電線４ｂを出させる。
【００２０】
凹所１ｅは、ベース１の一表面側に設けられている。凹所１ｅは、正面視において、円形状の外形形状をしている。凹所１ｅは、電線４ｂの一部を収納できるように構成されている。
【００２１】
複数の収納部１ｊは、ベース１の他表面に設けられている。複数の収納部１ｊそれぞれは、貫通孔１ａの周部に配置されている。複数の収納部１ｊそれぞれは、周囲から窪んだ段差を構成している。
【００２２】
溝部１ｔは、ベース１の一表面側に設けられている。溝部１ｔは、正面視において、円環状の外形形状をしている。溝部１ｔは、内突部１ｔｂを有している。内突部１ｔｂは、溝部１ｔの一部を円環状の内側に突出させる。内突部１ｔｂは、円環状の内側に円弧状に突出した形状に形成されている。内突部１ｔｂは、内突部１ｔｂが設けられていない他の溝部１ｔと比較して、溝部１ｔの幅方向において、溝部１ｔの中央部との距離を近づけている。
【００２３】
一対の取付部１ｂは、図１、図２、図３及び図７に示すように、ベース１の周部において、対向するように配置されている。一対の取付部１ｂそれぞれは、厚み方向に貫通する取付孔１ｂａが設けられている。ＬＥＤユニット１０は、取付部１ｂの取付孔１ｂａに取付ねじを挿通させて、施工面側のねじ孔にねじ込むことで、取り付けられる。
【００２４】
突台部１ｆは、凹所１ｅの内底面における中央部に配置されている。突台部１ｆは、ベース１の厚み方向に沿って、凹所１ｅの内底面から外方へ向かって突出する。突台部１ｆは、正面視において、矩形状の外形形状をしている。突台部１ｆは、放熱シート６を介して、発光装置３が載せ置かれる。突台部１ｆの高さ寸法は、突台部１ｆの高さ寸法と放熱シート６の厚み寸法とを合わせた寸法が、凹所１ｅの深さ寸法よりも大きくなるように設定されている。突台部１ｆは、突台部１ｆの高さ寸法と放熱シート６の厚み寸法とを合わせた寸法が凹所１ｅの深さ寸法よりも大きいことで、発光装置３から放射された光がベース１の凹所１ｅの内面で反射、又は吸収されることを抑制できる。
【００２５】
突台部１ｆの先端面１ｆａには、複数の窪部１ｇが形成されている。窪部１ｇは、突台部１ｆの先端面１ｆａにおける外周部に設けられている。複数の窪部１ｇは、突台部１ｆの先端面１ｆａを覆うように放熱シート６が載せ置かれた場合、放熱シート６の一部が入り込む。窪部１ｇは、放熱シート６の厚み、発光装置３の大きさ及び発光装置３の形状に合わせて、窪部１ｇの形状、幅及び深さが適宜に設定される。
【００２６】
第１リブ１ｈａ及び第２リブ１ｈｂは、図１及び図２に示すように、正面視において、ベース１の凹所１ｅにおける導出部１ｃ側に配置されている。第１リブ１ｈａは、ベース１の厚み方向に沿って、凹所１ｅの内底面から外方に向かって突出する。第２リブ１ｈｂは、ベース１の厚み方向に沿って、凹所１ｅの内底面から外方に向かって突出する。第２リブ１ｈｂは、第１リブ１ｈａと同じ向きに突出する。
【００２７】
第１リブ１ｈａと第２リブ１ｈｂとは、正面視において、ボス１ｒを介して、対称に配置されている。第１リブ１ｈａは、一対の電線４ｂのうち、一方の電線４ｂを凹所１ｅの内周面との間に挟み持つ。第２リブ１ｈｂは、一対の電線４ｂのうち、他方の電線４ｂを凹所１ｅの内周面との間に挟み持つ。
【００２８】
第３リブ１ｈｃは、ベース１の厚み方向に沿って、凹所１ｅの内底面から外方に向かって突出する。第３リブ１ｈｃは、第１リブ１ｈａ及び第２リブ１ｈｂと同じ向きに突出している。第３リブ１ｈｃは、正面視において、導出部１ｃに向かうように配置されている。
【００２９】
一対の連結片１ｈｅは、ベース１の厚み方向に沿って、凹所１ｅの内底面から外方に向かって突出する。各連結片１ｈｅは、第１リブ１ｈａ及び第２リブ１ｈｂと同じ向きに突出している。一対の連結片１ｈｅのうち、一方の連結片１ｈｅは、第１リブ１ｈａと、ボス１ｒと、を連結する。一対の連結片１ｈｅのうち、他方の連結片１ｈｅは、第２リブ１ｈｂと、ボス１ｒと、を連結する。
【００３０】
ボス１ｒは、正面視において、突台部１ｆの短手方向の一方側に配置されている。ボス１ｒは、円柱状の外形形状をしている。ボス１ｒは、ベース１の厚み方向に沿って、凹所１ｅの内底面から外方に向かって突出する。ボス１ｒは、突台部１ｆと同じ方向に突出する。ボス１ｒと、第３リブ１ｈｃとは、連続するように形成されている。
【００３１】
ベース１は、例えば、アルミダイキャストで形成される。ベース１の材料は、アルミニウムだけに限らず、例えば、銅、若しくはステンレスでもよい。ベース１は、取付部１ｂと突台部１ｆと第１リブ１ｈａと第２リブ１ｈｂと第３リブ１ｈｃと一対の連結片１ｈｅとボス１ｒとが一体的に形成されている。ベース１は、取付部１ｂと突台部１ｆと第１リブ１ｈａと第２リブ１ｈｂと第３リブ１ｈｃと一対の連結片１ｈｅとボス１ｒとが一体的に形成された構成だけでなく、ベース１と別途に形成された構成でもよい。
【００３２】
ホルダ２は、図１及び図４に示すように、ホルダ本体２ａと、操作部２ｈと、を有している。ホルダ２は、全体として、有底円筒状の外形形状をしている。ホルダ本体２ａは、覆部２ｅと、外周壁２ｆと、内周壁２ｇと、複数の保持部２ｍと、を有している。
【００３３】
覆部２ｅは、円環平板状の外形形状をしている。覆部２ｅは、中央部に窓孔２ａａが設けられる。窓孔２ａａは、正面視において、円形状をしている。覆部２ｅには、窓孔２ａａを塞ぐように、発光装置３からの光を拡散させる光拡散板が設けられてもよい。光拡散板は、円板状の外形形状とすることができる。光拡散板は、複数のＬＥＤチップ３ｋの一部のＬＥＤチップ３ｋが発光する場合でも、ＬＥＤユニット１０を視認する者に対し、光源の粒々感を生じさせることを抑制する。
【００３４】
外周壁２ｆは、円筒状の外形形状をしている。外周壁２ｆは、覆部２ｅの厚み方向に沿って、覆部２ｅの外周縁から突出する。内周壁２ｇは、円筒状の外形形状をしている。内周壁２ｇは、外周壁２ｆよりも小さい。内周壁２ｇは、覆部２ｅの厚み方向に沿って、覆部２ｅの内周縁から突出する。内周壁２ｇは、外周壁２ｆと同じ向きに突出している。内周壁２ｇは、窓孔２ａａを構成する。内周壁２ｇは、覆部２ｅの厚み方向に沿って、覆部２ｅから離れるにつれ窓孔２ａａの開口面積が徐々に小さくなるように形成されている。内周壁２ｇは、光を反射する機能を備えている。内周壁２ｇは、発光装置３から放射された光を反射することで、発光装置３からの光を有効利用できる。
【００３５】
複数の保持部２ｍは、ホルダ本体２ａの背面視において、内周壁２ｇから外方へ向かって突出する。複数の保持部２ｍは、内周壁２ｇの外周に沿って、所定の間隔で設けられている。保持部２ｍは、接続端子５を保持する。
【００３６】
操作部２ｈは、正面視において、ホルダ本体２ａの外周から外方へ突出する。操作部２ｈは、突出板２ｉと、撓板２ｊと、突起２ｋと、を有している。突出板２ｉは、ホルダ本体２ａから突出している。突出板２ｉは、矩形平板状の外形形状をしている。突出板２ｉは、Ｃ字状の溝２ｈａを有している。溝２ｈａは、突出板２ｉの厚み方向に貫通している。撓板２ｊは、正面視において、矩形平板状の外形形状をしている。撓板２ｊは、正面視において、一端が突出板２ｉに支持されている。撓板２ｊの一端と反対の他端は、正面視において、Ｃ字状の溝２ｈａを介して、突出板２ｉと対向するように配置されている。撓板２ｊの厚みは、突出板２ｉの厚みよりも薄い。撓板２ｊは、突出板２ｉに対して、厚み方向に撓むことができる。言い換えれば、撓板２ｊは、板ばねを構成している。撓板２ｊの他端には、突起２ｋが配置されている。突起２ｋは、撓板２ｊの厚み方向に突出する。操作部２ｈは、ベース１に対し、ホルダ２を発光装置３の中心周りに回転させる操作に利用できる。
【００３７】
ホルダ２は、発光装置３と、ハーネス４と、接続端子５と、放熱シート６と、をベース１との間に挟み持つ。ホルダ２は、図３に示すように、ベース１側に取り付けられた状態で、内周壁２ｇが発光装置３を発光装置３側に押し付ける。ホルダ２は、ベース１側に取り付けられた状態で、ハーネス４及び接続端子５をベース１側に押し付ける。ホルダ２は、ベース１側に取り付けられた状態で、発光装置３を窓孔２ａａから露出させる。ホルダ２は、ベース１側に取り付けられた状態で、電線４ｂを導出部１ｃから外部に出すように案内する。
【００３８】
ホルダ２は、ベース１とカバー７との間に配置される。ホルダ２は、非透明材料、かつ電気絶縁性を有する材料により形成されている。ホルダ２の材料としては、例えば、白色顔料を含有させた合成樹脂が挙げられる。ホルダ２は、ホルダ本体２ａと、操作部２ｈと、が一体的に形成されている。ホルダ２は、例えば、合成樹脂の射出成形により形成される。
【００３９】
発光装置３は、図１から図３に示すように、発光部３ａと、実装基板３ｂと、一対の給電端子部３ｃと、複数の結線端子部３ｆと、を有している。発光部３ａは、複数のＬＥＤチップ３ｋと、周壁部３ｅと、封止部３ｄと、を有している。周壁部３ｅは、複数のＬＥＤチップ３ｋを囲むように配置されている。周壁部３ｅは、ＬＥＤチップ３ｋからの光を反射する。封止部３ｄは、周壁部３ｅ内のＬＥＤチップ３ｋを覆う。発光部３ａは、正面視において、円形状に形成されている。
【００４０】
複数のＬＥＤチップ３ｋは、実装基板３ｂの主表面３ｂａに実装されている。ＬＥＤチップ３ｋは、例えば、青色ＬＥＤチップである。封止部３ｄは、透光性封止材料により形成されている。透光性封止材料としては、例えば、シリコーン樹脂、エポキシ樹脂、若しくはガラスが挙げられる。封止部３ｄは、透光性封止材料に蛍光体が含有されている。蛍光体は、青色ＬＥＤチップから放射される青色光により励起されて、黄色光を放射する黄色蛍光体が挙げられる。発光部３ａは、青色ＬＥＤチップからの青色光と、黄色蛍光体からの黄色光との混色光により、白色光を発光する。言い換えれば、発光部３ａは、白色ＬＥＤを構成している。発光部３ａの蛍光体は、黄色蛍光体に限らず、例えば、赤色蛍光体及び緑色蛍光体でもよい。発光部３ａは、紫外ＬＥＤチップと、赤色蛍光体、緑色蛍光体及び青色蛍光体とが組み合わせられた白色ＬＥＤでもよい。発光部３ａは、赤色ＬＥＤチップと、緑色ＬＥＤチップと、青色ＬＥＤチップと、が組み合わせられた多色ＬＥＤでもよい。
【００４１】
実装基板３ｂは、矩形平板状の外形形状をしている。実装基板３ｂは、所定の形状の配線を有している。実装基板３ｂは、配線により、複数のＬＥＤチップ３ｋを電気的に直列接続する。実装基板３ｂは、複数のＬＥＤチップ３ｋを電気的に直列接続させる構成だけに限られない。実装基板３ｂは、配線により複数のＬＥＤチップ３ｋを電気的に並列接続させてもよいし、直並列接続させてもよい。実装基板３ｂは、反射膜が主表面３ｂａに設けられている。反射膜は、例えば、白色のレジスト膜である。レジスト膜は、ＬＥＤチップ３ｋが実装される配線のパッドと、給電端子部３ｃと、結線端子部３ｆと、を除く主表面３ｂａ全体を覆う。レジスト膜は、発光部３ａから放射された光が実装基板３ｂに吸収されることを抑制する。
【００４２】
実装基板３ｂは、例えば、金属ベースプリント配線板である。実装基板３ｂは、金属ベースプリント配線板だけに限られず、例えば、セラミック基板、若しくはガラス布基材エポキシ樹脂でもよい。
【００４３】
一対の給電端子部３ｃそれぞれは、実装基板３ｂの主表面３ｂａに設けられている。一対の給電端子部３ｃは、ＬＥＤチップ３ｋに給電できるように、実装基板３ｂの配線と電気的に接続される。一対の給電端子部３ｃそれぞれは、導体により構成されている。導体は、例えば、銅箔である。一対の給電端子部３ｃのうち、一方の給電端子部３ｃは、発光装置３のアノードであり、一対の給電端子部３ｃのうち、他方の給電端子部３ｃ２は、発光装置３のカソードである。給電端子部３ｃは、実装基板３ｂの配線と一体的に構成されてもよいし、別体に構成されてもよい。
【００４４】
複数の結線端子部３ｆそれぞれは、実装基板３ｂの主表面３ｂａに設けられている。複数の結線端子部３ｆは、正面視において、発光部３ａの周りに所定の間隔を隔てて、円弧状に並んでいる。複数の結線端子部３ｆのうち、一対の結線端子部３ｆは、正面視において、発光部３ａを介して、対向するように配置される。複数の結線端子部３ｆのうち、一対の結線端子部３ｆは、複数のＬＥＤチップ３ｋのうち一部のＬＥＤチップ３ｋを短絡するように、実装基板３ｂの配線と電気的に接続される。複数の結線端子部３ｆそれぞれは、導体により構成されている。複数の結線端子部３ｆのうち、一対の結線端子部３ｆにおける第１結線端子部３ｆ１は、図８Ｂに示すように、複数のＬＥＤチップ３ｋのうち一部のＬＥＤチップ３ｋのカノードと電気的に接続される。複数の結線端子部３ｆのうち、一対の結線端子部３ｆにおける第２結線端子部３ｆ２は、複数のＬＥＤチップ３ｋのうち一部のＬＥＤチップ３ｋのアノードと電気的に接続される。第１結線端子部３ｆ１と第２結線端子部３ｆ２とが電気的に接続されると、第１結線端子部３ｆ１と第２結線端子部３ｆ２との間に電気的に挟まれた複数のＬＥＤチップ３ｋが電気的に短絡する。各結線端子部３ｆは、実装基板３ｂの配線と一体的に構成されてもよいし、別体に構成されてもよい。
【００４５】
ハーネス４は、コネクタ４ａと、一対の電線４ｂと、を備えている。各電線４ｂは、芯線４ｃと、絶縁被覆４ｄと、を備えている。芯線４ｃの材料は、例えば、銅などの金属材料である。絶縁被覆４ｄの材料は、例えば、塩化ビニルである。電線４ｂは、発光装置３に給電できるように、２本設けられている。コネクタ４ａは、外部から発光装置３に電力を給電するコネクタと電気的及び機械的に接続できる。
【００４６】
接続端子５は、図１、図２及び図４に示すように、全体として、長尺の外形形状をしている。接続端子５は、正面視において、円環の一部で形成された孤状の外形形状をしている。接続端子５は、金属板である。接続端子５は、第１端部５ａと、第２端部５ｂと、連結部５ｃと、を有している。第１端部５ａは、長尺の接続端子５の一端に設けられている。第２端部５ｂは、長尺の接続端子５の一端と反対の他端に設けられている。連結部５ｃは、第１端部５ａと第２端部５ｂとを連結する。第１端部５ａは、連結部５ｃの厚み方向に沿って、接続端子５の一端から突出している。第１端部５ａは、側面視において、Ｕ字状の外形形状をしている。第１端部５ａは、Ｕ字状の外形形状をしていることで、連結部５ｃの厚み方向に弾性力を付与できる。第２端部５ｂは、連結部５ｃの厚み方向に沿って、接続端子５の他端から突出している。第２端部５ｂは、連結部５ｃの厚み方向に沿って、第１端部５ａと同じ向きに突出している。第２端部５ｂは、側面視において、Ｕ字状の外形形状をしている。第２端部５ｂは、Ｕ字状の外形形状をしていることで、連結部５ｃの厚み方向に弾性力を付与できる。連結部５ｃは、ホルダ２の保持部２ｍによって保持される。
【００４７】
接続端子５は、第１端部５ａが複数の結線端子部３ｆのうち、一対の結線端子部３ｆの一方と接触する。接続端子５は、第１端部５ａが一対の結線端子部３ｆの一方と接触した状態で、第２端部５ｂが複数の結線端子部３ｆのうち、対応する一対の結線端子部３ｆの他方と接触する。接続端子５は、一対の結線端子部３ｆの一方と、一対の結線端子部３ｆの対応する他方と、を電気的に接続する。
【００４８】
接続端子５は、正面視において、操作部２ｈの操作によりホルダ２が回転されれば、操作部２ｈと連動して、発光装置３の中心部周りに移動する。図２では、操作部２ｈと連動して移動した接続端子５を、一点鎖線で例示している。接続端子５は、金属平板の打ち抜き加工及び折り曲げ加工により形成される。接続端子５の材料としては、例えば、リン銅、真鍮、若しくは銀めっきを施した銅が挙げられる。
【００４９】
放熱シート６は、図１から図３に示すように、矩形平板状の外形形状をしている。放熱シート６は、実装基板３ｂと、ベース１の突台部１ｆとの間に配置される。放熱シート６は、突台部１ｆの窪部１ｇを覆う大きさに形成されている。放熱シート６は、窪部１ｇを覆って、先端面１ｆａの放熱シート６を設ける予定の領域に載せ置かれればよい。放熱シート６は、発光装置３で発生した熱をベース１へ効率よく放熱させる。放熱シート６は、電気絶縁性及び熱伝導性を有している。放熱シート６は、窪部１ｇに放熱シート６の一部を入れる場合、軟質な材料が好ましい。放熱シート６は、ゲル状で架橋密度が低く軟質で弾性を有するゲル状エラストマー材料がより好ましい。放熱シート６は、例えば、シリコーンゲルシートが挙げられる。放熱シート６は、シリコーンゲルシートだけに限られず、電気絶縁性と熱伝導性に優れた材料で形成されていればよい。
【００５０】
カバー７は、図１、図３、図５及び図７に示すように、全体として有底円筒状の外形形状をしている。カバー７とベース１との間には、ホルダ２と、発光装置３と、一対の電線４ｂと、接続端子５と、放熱シート６と、が配置される。カバー７は、発光装置３から放射された光を透過させる。カバー７は、カバー本体７ａと、鍔部７ｂと、を有する。カバー本体７ａは、有底円筒状の外形形状をしている。カバー本体７ａは、ベース１側が開口され、ベース１の外周縁よりも内側に配置された発光装置３を覆う。
【００５１】
カバー本体７ａは、光出射部７ｈと、筒状部７ｊと、を有している。光出射部７ｈは、円板状の外形形状をしている。光出射部７ｈは、発光装置３からの光を外部へ出射させる。筒状部７ｊは、円筒状の外形形状をしている。筒状部７ｊは、開口端部側から一端側にかけて内径が徐々に小さくなるように形成されている。筒状部７ｊは、一端側が光出射部７ｈで塞がれている。筒状部７ｊは、光出射部７ｈと滑らかに連続するように形成されている。カバー本体７ａは、光出射部７ｈ及び筒状部７ｊの厚みが略同一に形成されている。
【００５２】
鍔部７ｂは、正面視において、カバー本体７ａの開口端部から外方へ延びている。鍔部７ｂは、カバー７をベース１に取り付けるために利用される。鍔部７ｂは、平板の環状の外形形状をしている。鍔部７ｂは、図５に示すように、一対の第１切欠部７ｃと、複数の第２切欠部７ｄと、第１段溝７ｇと、を有している。第１切欠部７ｃは、鍔部７ｂの外側縁から内側に向かって、切り欠かれるように構成されている。第１切欠部７ｃは、正面視において、半円状に窪んだ外形形状をしている。第１切欠部７ｃは、鍔部７ｂの外周に沿って設けられている。一対の第１切欠部７ｃは、正面視において、対向して配置されている。
【００５３】
第２切欠部７ｄは、鍔部７ｂの外側縁から内側に向かって、切り欠かれるように構成されている。第２切欠部７ｄは、半円状に窪んだ外形形状をしている。第２切欠部７ｄは、第１切欠部７ｃよりも小さく形成されている。複数の第２切欠部７ｄは、鍔部７ｂの外周に沿って、所定の間隔で設けられている。
【００５４】
鍔部７ｂは、図３及び図５に示すように、突出部７ｅを有している。突出部７ｅは、鍔部７ｂにおいて、筒状部７ｊの突出方向と反対側に突出する。突出部７ｅは、鍔部７ｂの内周に沿って、円環状の外形形状をしている。突出部７ｅは、ベース１の溝部１ｔに嵌め合わせられる。第１段溝７ｇは、背面視において、円環状の鍔部７ｂの一部だけ鍔部７ｂの厚みを薄くして形成されている。
【００５５】
カバー７は、透光性材料により形成されている。カバー７の透光性材料としては、例えば、シリコーン樹脂、アクリル樹脂、若しくはガラスが挙げられる。カバー７は、ホルダ２をベース１に押し付けるように、内側に突出する突起を備えていてもよい。
【００５６】
カバー押え部材８は、全体として、扁平な環状に形成されている。カバー押え部材８は、図１及び図６に示すように、押え本体８ａと、複数の外突部８ｃと、凹凸部８ｄと、を備えている。押え本体８ａは、環状の平板の外形形状をしている。押え本体８ａは、一対の第３切欠部８ｂと、第２段溝８ｇと、を有している。第３切欠部８ｂは、押え本体８ａの外側縁から内側に向かって、切り欠かれるように構成されている。第３切欠部８ｂは、正面視において、半円状に窪んだ外形形状をしている。一対の第３切欠部８ｂは、正面視において、押え本体８ａの外周に沿って配置される。一対の第３切欠部８ｂは、対向して配置される。一対の第３切欠部８ｂは、カバー７の第１切欠部７ｃに対応するように設けられる。一対の第３切欠部８ｂは、ベース１の取付部１ｂに対応するように設けられる。
【００５７】
第２段溝８ｇは、背面視において、円環状の押え本体８ａの一部だけ押え本体８ａの厚みを薄くして形成されている。第２段溝８ｇは、周囲から窪んだ段差を構成している。第２段溝８ｇは、背面視において、弧状の外形形状をしている。第２段溝８ｇは、第１段溝７ｇと対応して設けられる。押え本体８ａの第２段溝８ｇとベース１とは、図７に示すように、カバー押え部材８がベース１に取り付けられた状態で開口部１０ｃｃを形成する。開口部１０ｃｃでは、操作部２ｈが外部に突出する。図７では、操作部２ｈの移動方向を白抜きの両矢印で例示している。
【００５８】
複数の外突部８ｃの各々は、円柱状の外形形状をしている。複数の外突部８ｃの各々は、押え本体８ａの厚み方向に沿って、押え本体８ａから外方に突出する。複数の外突部８ｃは、カバー押え部材８の周部に沿って、等間隔で配置されている。複数の外突部８ｃの各々は、カバー７の鍔部７ｂに設けられた複数の第２切欠部７ｄの各々と対応するように、押え本体８ａに配置される。カバー押え部材８は、カバー７をベース１との間に挟み込む場合、外突部８ｃが第２切欠部７ｄを介して、ベース１の貫通孔１ａに挿通される。
【００５９】
凹凸部８ｄは、第２段溝８ｇに沿って、押え本体８ａに設けられている。凹凸部８ｄは、押え本体８ａの厚み方向に突出する。凹凸部８ｄは、背面視において、弧状の外形形状をしている。凹凸部８ｄは、カバー押え部材８がベース１に取り付けられた状態で、ホルダ２の突起２ｋと接触する。凹凸部８ｄは、突起２ｋと接触することで、発光装置３の中心部周りにホルダ２が回転することを抑制する。凹凸部８ｄと突起２ｋとは、発光装置３の中心部周りにホルダ２が回転するように操作部２ｈが操作されれば、操作した手ごたえを操作者に生じさせるようにクリック感を発生させる。凹凸部８ｄは、操作部２ｈを保持する位置で、凹凸差が小さくしてもよい。凹凸部８ｄは、凹凸差が小さい場所での、操作部２ｈの移動をより抑制できる。
【００６０】
カバー押え部材８は、カバー７の鍔部７ｂをベース１との間で挟み持つ。カバー押え部材８は、非透光性材料により形成されている。カバー押え部材８の非透光性材料としては、例えば、不透明な合成樹脂、若しくはアルミニウムが挙げられる。
【００６１】
以下では、本実施形態のＬＥＤユニット１０の発光状態を変化できることを図８Ａ、図８Ｂ及び図８Ｃに基づいて説明する。図８Ａから図８Ｃでは、複数の結線端子部３ｆとして、第１結線端子部３ｆ１と、第２結線端子部３ｆ２と、第３結線端子部３ｆ３と、第４結線端子部３ｆ４と、を例示している。図８Ａから図８Ｃでは、複数の結線端子部３ｆに加え、複数のＬＥＤチップ３ｋの何れにも電気的に接続されていない一対のランド３ｆ０を図示している。
【００６２】
図８Ａから図８Ｃでは、複数のＬＥＤチップ３ｋとして、２０個のＬＥＤチップ３ｋを例示している。２０個の直列接続されたＬＥＤチップ３ｋの両端間には、定電流が流れるよう電圧が印加される。図８Ａから図８Ｃでは、白抜きのＬＥＤチップ３ｋが発光を示し、黒塗りのＬＥＤチップ３ｋが非発光を例示する。操作部２ｈに連動して移動する接続端子５を一点鎖線で例示している。
【００６３】
第１結線端子部３ｆ１と第２結線端子部３ｆ２とは、２０個のＬＥＤチップ３ｋのうち、４個の直列接続されたＬＥＤチップ３ｋを挟むように、直列接続された４個のＬＥＤチップ３ｋの両端と電気的に接続される。第１結線端子部３ｆ１は、直列接続された４個のＬＥＤチップ３ｋのうち、最も外側のＬＥＤチップ３ｋのアノードと電気的に接続する。第２結線端子部３ｆ２は、直列接続された４個のＬＥＤチップ３ｋのうち、最も外側のＬＥＤチップ３ｋのカソードと電気的に接続する。すなわち、第１結線端子部３ｆ１と、第２結線端子部３ｆ２とは、一対として形成されている。
【００６４】
第３結線端子部３ｆ３と、第４結線端子部３ｆ４とは、２０個のＬＥＤチップ３ｋのうち、１２個の直列接続されたＬＥＤチップ３ｋを挟むように、直列接続された１２個のＬＥＤチップ３ｋの両端と電気的に接続される。第３結線端子部３ｆ３は、直列接続された１２個のＬＥＤチップ３ｋのうち、最も外側のＬＥＤチップ３ｋのアノードと電気的に接続する。第２結線端子部３ｆ２は、直列接続された１２個のＬＥＤチップ３ｋのうち、最も外側のＬＥＤチップ３ｋのカソードと電気的に接続する。すなわち、第３結線端子部３ｆ３と、第４結線端子部３ｆ４とは、一対として形成されている。
【００６５】
本実施形態のＬＥＤユニット１０は、接続端子５が複数のＬＥＤチップ３ｋのうち、一部のＬＥＤチップ３ｋのアノード電極とカソード電極との間を短絡させる。本実施形態のＬＥＤユニット１０は、複数のＬＥＤチップ３ｋのうち、一部のＬＥＤチップ３ｋが短絡することで、発光状態を変化させることができる。
【００６６】
ＬＥＤユニット１０は、図８Ａに示すように、接続端子５が、複数の結線端子部３ｆのうち、対応する一対の結線端子部３ｆと電気的に接続されていない場合、全てのＬＥＤチップ３ｋが発光する。接続端子５は、複数のＬＥＤチップ３ｋの何れにも電気的に接続されないように、ランド３ｆ０に配置される。
【００６７】
ＬＥＤユニット１０は、接続端子５が、複数の結線端子部３ｆのうち、第１結線端子部３ｆ１と第２結線端子部３ｆ２とを電気的に接続すれば、図８Ｂに示す５列のＬＥＤチップ３ｋのうち、両側の２列における直列接続した１６個のＬＥＤチップ３ｋが発光する。図８Ｂでは、ＬＥＤユニット１０は、外部の電源から定電流が供給されている場合、例えば、図８Ａの１００％の光出力に対して、８０％の光出力の光を放射する。
【００６８】
ＬＥＤユニット１０は、接続端子５が、複数の結線端子部３ｆのうち、第３結線端子部３ｆ３と第４結線端子部３ｆ４とを電気的に接続すれ、図８Ｃに示すように、中央のＬＥＤチップ３ｋ以外の８個のＬＥＤチップ３ｋが発光する。図８Ｃでは、ＬＥＤユニット１０は、外部の電源から定電流が供給されている場合、例えば、図８Ａの１００％の光出力に対して、４０％の光出力の光を放射する。
【００６９】
ＬＥＤユニット１０では、操作部２ｈの操作に連動して、発光状態を変化させることができる。ＬＥＤユニット１０は、複数のＬＥＤチップ３ｋが同じ発光色のＬＥＤチップの場合、複数のＬＥＤチップ３ｋのうち、一部のＬＥＤチップ３ｋを短絡し、他のＬＥＤチップ３ｋが発光することで、調光制御を行うことができる。ＬＥＤユニット１０は、複数のＬＥＤチップ３ｋが異なる発光色のＬＥＤチップの場合、複数のＬＥＤチップ３ｋのうち、一部のＬＥＤチップ３ｋを短絡し、他のＬＥＤチップ３ｋが発光することで、調色制御を行うことができる。
【００７０】
すなわち、本実施形態のＬＥＤユニット１０では、ホルダ２は、操作部２ｈを備えている。ホルダ２は、接続端子５を保持していることが好ましい。
【００７１】
本実施形態のＬＥＤユニット１０は、ホルダ２が操作部２ｈを備え、接続端子５を保持する比較的簡単な構成で、操作部２ｈの操作に連動して接続端子５を移動させることができる。
【００７２】
本実施形態のＬＥＤユニット１０では、一対の結線端子部３ｆは、発光装置３の光軸周りに沿った実装基板３ｂの主表面３ｂａに配置される。接続端子５は、発光装置３の光軸周りに沿った移動で、第１位置と第２位置との間を変位する。
【００７３】
本実施形態のＬＥＤユニット１０は、一対の結線端子部３ｆが発光装置３の光軸周りに沿って実装基板３ｂに配置され、接続端子５が光軸周りに沿って移動する比較的に簡単な構成で、接続端子５と結線端子部３ｆとの電気的な接続の切り替えを行うことができる。
【００７４】
以下に、ＬＥＤユニット１０の組立工程について、説明する。
【００７５】
ＬＥＤユニット１０の組立工程では、ベース１の一表面側に備えられた矩形状の突台部１ｆの先端面１ｆａ上に、放熱シート６が載せ置かれる。放熱シート６は、先端面１ｆａに載せ置かれることで放熱シート６の一部が窪部１ｇに入り込む。放熱シート６は、突台部１ｆの先端面１ｆａよりもやや大きな長方形状に形成されている。
【００７６】
次に、発光装置３が放熱シート６の上に載せ置かれる。引き続き、一対の電線４ｂと、実装基板３ｂの対応する一対の給電端子部３ｃとがそれぞれ電気的に接続される。電線４ｂと実装基板３ｂの給電端子部３ｃとは、はんだにより電気的に接続される。ハーネス４は、一対の電線４ｂのうち、一方の電線が第１リブ１ｈａ、第３リブｈｃ及び凹所１ｅとの間に挟み込まれる。ハーネス４は、一対の電線４ｂのうち、他方の電線が第２リブ１ｈｂ、第３リブｈｃ及び凹所１ｅとの間に挟み込まれる。ハーネス４は、一対の電線４ｂが挟み込まれた状態で、コネクタ４ａ側を導出部１ｃから外部に出される。
【００７７】
次に、ホルダ２がベース１の一表面に載せ置かれる。ホルダ２は、ベース１に載せ置かれた状態で、ホルダ２の窓孔２ａａから発光装置３の発光部３ａを露出させる。接続端子５は、予めホルダ２に取り付けられている。ベース１とホルダ２とは、発光装置３と、電線４ｂと、接続端子５と、を挟み持つ。ホルダ２がベース１に押し付けられれば、第１端部５ａが一対の結線端子部３ｆのうち、一方の結線端子部３ｆに弾性力を付与する。ホルダ２がベース１に押し付けられれば、第２端部５ｂが一対の結線端子部３ｆのうち、他方の結線端子部３ｆに弾性力を付与する。ホルダ２は、ベース１に載せ置かれる構造だけに限られない。ホルダ２とベース１は、ホルダ２から突出する係合爪と、ベース１に設けられた係止溝と、を、ホルダ２がベース１に対して回転できるように嵌め合される構造でもよい。
【００７８】
次に、カバー７の突出部７ｅを、ベース１の溝部１ｔに嵌め合わせることで、カバー７をベース１側に配置する。組立工程では、溝部１ｔにカバー７の突出部７ｅが溝部１ｔに挿入されて、ベース１とカバー７とが位置合わせされる。
【００７９】
最後に、カバー押え部材８の外突部８ｃをベース１の貫通孔１ａに挿通し、ベース１の他表面側で外突部８ｃの先端部を塑性変形させる。ベース１の他表面側では、レーザ光照射により、各外突部８ｃの先端部が塑性変形されて、ベース１の貫通孔１ａよりも広げられる。カバー押え部材８は、外突部８ｃの先端部が塑性変形されることで、ベース１にカバー押え部材８が取り付けられる。各収納部１ｊの深さ寸法は、ベース１の他表面を含む平面から外突部８ｃの塑性変形された先端部が突出しないように設定されている。
【００８０】
次に、ＬＥＤユニット１０を備えた照明器具１２について、図９を参照しながら簡単に説明する。図９に示す照明器具１２は、天井材１７に埋め込み配置されるダウンライトである。
【００８１】
照明器具１２は、ＬＥＤユニット１０と、ＬＥＤユニット１０が取り付けられる器具本体１１と、を備えている。
【００８２】
器具本体１１は、本体部１１ａと、外鍔部１１ｂと、底部１１ｃと、電源収納部１１ｅと、を有している。本体部１１ａは、円筒状の外形形状をしている。外鍔部１１ｂは、本体部１１ａの開口縁から外方へ延びている。
【００８３】
本体部１１ａには、ＬＥＤユニット１０が収納される。ＬＥＤユニット１０は、底部１１ｃに置かれる。底部１１ｃは、円板状の外形形状をしている。底部１１ｃは、ＬＥＤユニット１０の取付孔１ｂａの各々に対応する位置に、取付ねじをねじ止めする取付ねじ孔を有している。底部１１ｃは、筒状の本体部１１ａの一端を塞ぐ。
【００８４】
本体部１１ａは、底部１１ｃを介して、反対側に電源収納部１１ｅが配置されている。電源収納部１１ｅは、筒状の外形形状をしている。電源収納部１１ｅは、筒状の一端が底部１１ｃで塞がれている。電源収納部１１ｅは、電源ユニット１５を収納配置する。電源ユニット１５は、電源線１３と電気的に接続されている。電源ユニット１５は、定電流電源を構成している。言い換えれば、電源ユニット１５は、ＬＥＤユニット１０に対し、外部の電源を構成している。電源線１３の先端部には、コネクタプラグ１４が設けられている。電源ユニット１５は、電源線１３及びコネクタプラグ１４を介して、ＬＥＤユニット１０を点灯させる電力を供給できるように構成されている。
【００８５】
電源ユニット１５は、電源収納部１１ｅから離して配置される。照明器具１２は、電源ユニット１５が電源収納部１１ｅから離して配置されることで、電源ユニット１５で発生した熱がＬＥＤユニット１０に熱伝導するのを抑制している。
【００８６】
照明器具１２は、電源ユニット１５のコネクタプラグ１４がＬＥＤユニット１０のコネクタ４ａに挿入されることで、電源ユニット１５とＬＥＤユニット１０の発光装置３とが電気的に接続される。
【００８７】
ＬＥＤユニット１０では、ベース１の導出部１ｃから露出したコネクタ４ａが、電源ユニット１５のコネクタプラグ１４と着脱自在に接続される。照明器具１２は、電源ユニット１５のコネクタプラグ１４と、ＬＥＤユニット１０のコネクタ４ａとが着脱自在に接続できるため、ＬＥＤユニット１０の着脱時の接続作業を容易に行うことができる。
【００８８】
器具本体１１は、天井材１７に設けられた埋込穴１７ａに埋め込まれる。器具本体１１は、取付ばねを備えている。取付ばねは、外鍔部１１ｂとの間で、天井材１７における埋込穴１７ａの周部を挟み持つ。器具本体１１は、外鍔部１１ｂが天井材１７の下面における埋込穴１７ａの周部に当接する形で天井材１７に取り付けられる。
【００８９】
器具本体１１は、金属材料により形成されている。照明器具１２は、樹脂製の器具本体１１と比べ、金属製の器具本体１１を介して、ＬＥＤユニット１０の発光装置３で発生した熱を、放熱シート６及びベース１を通して外部に効率よく放熱させることができる。器具本体１１の材料としては、例えば、アルミニウムが挙げられる。器具本体１１の材料は、アルミニウムだけに限られず、例えば、銅、若しくはセラミックスでもよい。
【００９０】
本発明は、上述の実施形態だけに限定されず、本発明に係る技術的思想を逸脱しない範囲で、種々変更することができる。
【符号の説明】
【００９１】
１  ベース
２  ホルダ
２ｈ  操作部
３  発光装置
３ｂａ  主表面
３ｂ  実装基板
３ｃ  給電端子部
３ｆ  結線端子部
３ｋ  ＬＥＤチップ
５  接続端子
１０  ＬＥＤユニット
１１  器具本体
１２  照明器具
【図１】
2017216082.tif 000003
【図２】
2017216082.tif 000004
【図３】
2017216082.tif 000005
【図４】
2017216082.tif 000006
【図５】
2017216082.tif 000007
【図６】
2017216082.tif 000008
【図７】
2017216082.tif 000009
【図８】
2017216082.tif 000010
【図９】
2017216082.tif 000011